(57)【要約】【課題】インクの吐出量とクリーニング回数とを格納する記録装置を提供する。【解決手段】  インクカートリッジが装着されることにより、インクカートリッジのインクを記録ヘッドから吐出して被記録物に記録を行う記録装置であって、装着されたインクカートリッジを用いて記録ヘッドで吐出したインクの吐出量を計測する吐出量計測部と、インクカートリッジを用いて記録ヘッドからインクを吐出してクリーニングした実クリーニング回数を計測するクリーニング計測部と、吐出量計測部により計測された吐出量をクリーニング計測部により計測された実クリーニング回数に対応づけて格納する使用履歴格納部とを備える。【選択図】図１
2005262510.tif 000002
【特許請求の範囲】
【請求項１】
インクカートリッジが装着されることにより、前記インクカートリッジのインクを記録ヘッドから吐出して被記録物に記録を行う記録装置であって、
装着された前記インクカートリッジを用いて前記記録ヘッドで吐出したインクの吐出量を計測する吐出量計測部と、
前記インクカートリッジのインクを吐出して前記記録ヘッドをクリーニングした実クリーニング回数を計測するクリーニング計測部と、
前記吐出量計測部により計測された前記吐出量を前記クリーニング計測部により計測された前記実クリーニング回数に対応づけて格納する使用履歴格納部と
を備える記録装置。
【請求項２】
前記吐出量計測部により計測された前記吐出量を前記インクカートリッジの記録部に書き込む書込部をさらに備える請求項１に記載の記録装置。
【請求項３】
前記使用履歴格納部は、前記吐出量計測部により計測された前記吐出量を、前記記録装置において装着された前記インクカートリッジの履歴に対応づけてさらに格納し、
前記記録装置は、
前記使用履歴格納部に格納された前記吐出量、及び、一のインクカートリッジの前記記録部に書き込まれた前記吐出量を読み出し、前記二つの吐出量が一致した場合に、前記一のインクカートリッジを、前記記録装置において、前記吐出量を使用したインクカートリッジである旨を出力する使用カートリッジ出力部をさらに備える請求項２に記載の記録装置。
【請求項４】
前記記録ヘッドを用いて吐出する前記吐出量に対して、正常に動作する場合に想定される前記記録ヘッドを前記インクカートリッジを用いてクリーニングする回数を標準クリーニング回数として格納する標準クリーニング格納部と、
前記記録ヘッドに不具合が生じた場合に、前記使用履歴格納部に格納された前記吐出量及び前記実クリーニング回数を読み出し、前記標準クリーニング格納部に格納されている前記標準クリーニング回数と比較することにより、前記記録ヘッドに不具合が生じた時に前記記録装置に装着されていたインクカートリッジの前記履歴に対応づけられた前記吐出量を特定するクリーニング回数比較部と、
一のインクカートリッジの前記記録部に書き込まれた前記吐出量を読み出し、前記クリーニング回数比較部により特定された前記吐出量と、前記一のインクカートリッジの前記記録部から読み出された前記吐出量とが一致した場合に、前記一のインクカートリッジを、前記記録ヘッドに不具合が生じた時に前記記録装置に装着されていたインクカートリッジである旨を出力する使用カートリッジ出力部と
をさらに備える請求項２に記載の記録装置。
【請求項５】
インクカートリッジが装着されることにより、前記インクカートリッジのインクを記録ヘッドから吐出して被記録物に記録を行う記録装置と、前記記録ヘッドの不具合が生じた場合に前記記録装置に装着されていたインクカートリッジを使用者へ出力するサーバとを備えるシステムであって、
前記記録装置は、
装着された前記インクカートリッジを用いて前記記録ヘッドで吐出したインクの吐出量を計測する吐出量計測部と、
前記インクカートリッジのインクを吐出して前記記録ヘッドをクリーニングした実クリーニング回数を計測するクリーニング計測部と、
前記吐出量計測部により計測された前記吐出量を前記クリーニング計測部により計測された前記実クリーニング回数に対応づけて格納する使用履歴格納部と
前記吐出量計測部により計測された前記吐出量を前記インクカートリッジの記録部に書き込む書込部とを有し、
前記サーバは、
前記記録ヘッドを用いて吐出する前記吐出量に対して、正常に動作する場合に想定される前記記録ヘッドを前記インクカートリッジを用いてクリーニングする回数を標準クリーニング回数として格納する標準クリーニング格納部と、
前記記録ヘッドに不具合が生じた場合に、前記使用履歴格納部に格納された前記吐出量及び前記実クリーニング回数を読み出し、前記標準クリーニング格納部に格納されている前記標準クリーニング回数と比較することにより、前記記録ヘッドに不具合が生じた時に前記記録装置に装着されていたインクカートリッジの前記履歴に対応づけられた前記吐出量を特定するクリーニング回数比較部と、
一のインクカートリッジの前記記録部に書き込まれた前記吐出量を読み出し、前記クリーニング回数比較部により特定された前記吐出量と、前記一のインクカートリッジの前記記録部から読み出された前記吐出量とが一致した場合に、前記一のインクカートリッジを、前記記録ヘッドに不具合が生じた時に前記記録装置に装着されていたインクカートリッジである旨を出力する使用カートリッジ出力部と
を有するシステム。
【請求項６】
インクカートリッジが装着されることにより、前記インクカートリッジのインクを記録ヘッドから吐出して被記録物に記録を行う記録装置と、前記記録ヘッドの不具合が生じた場合に前記記録装置に装着されていたインクカートリッジを使用者へ出力するサーバとを備えるシステムであって、
前記記録装置は、
装着された前記インクカートリッジを用いて前記記録ヘッドで吐出したインクの吐出量を計測する吐出量計測部と、
前記インクカートリッジのインクを吐出して前記記録ヘッドをクリーニングした実クリーニング回数を計測するクリーニング計測部と、
前記吐出量計測部により計測された前記吐出量を前記クリーニング計測部により計測された前記実クリーニング回数に対応づけて格納する使用履歴格納部と
前記吐出量計測部により計測された前記吐出量を前記インクカートリッジの記録部に書き込む書込部と、
前記記録ヘッドを用いて吐出する前記吐出量に対して、正常に動作する場合に想定される前記記録ヘッドを前記インクカートリッジを用いてクリーニングする回数を標準クリーニング回数として格納する標準クリーニング格納部とを有し
前記サーバは、
前記記録ヘッドに不具合が生じた場合に、前記使用履歴格納部に格納された前記吐出量及び前記実クリーニング回数を読み出し、前記標準クリーニング格納部に格納されている前記標準クリーニング回数と比較することにより、前記記録ヘッドに不具合が生じた時に前記記録装置に装着されていたインクカートリッジの前記履歴に対応づけられた前記吐出量を特定するクリーニング回数比較部と、
一のインクカートリッジの前記記録部に書き込まれた前記吐出量を読み出し、前記クリーニング回数比較部により特定された前記吐出量と、前記一のインクカートリッジの前記記録部から読み出された前記吐出量とが一致した場合に、前記一のインクカートリッジを、前記記録ヘッドに不具合が生じた時に前記記録装置に装着されていたインクカートリッジである旨を出力する使用カートリッジ出力部と
を有するシステム。
【請求項７】
記録装置に装着されたインクカートリッジを用いて記録ヘッドで吐出したインクの吐出量を計測し、
計測した前記吐出量を、前記インクカートリッジの履歴に対応づけて使用履歴格納部に格納し、
前記吐出量計測部により計測された前記吐出量を前記インクカートリッジの記録部に書き込み、
前記使用履歴格納部に格納された前記吐出量、及び一のインクカートリッジの前記記録部に書き込まれた前記吐出量を読み出し、前記二つの吐出量が一致した場合に、前記一のインクカートリッジを、前記記録装置において前記吐出量を使用したインクカートリッジである旨を出力する
インクカートリッジ特定方法。
【請求項８】
前記記録ヘッドを用いて吐出する前記吐出量に対して、前記記録ヘッドが正常に動作する場合に想定される、前記インクカートリッジを用いて前記記録ヘッドをクリーニングする回数を標準クリーニング回数として標準クリーニング格納部に格納し、
前記記録装置に装着された前記インクカートリッジを用いてクリーニングされた実クリーニング回数を計測し、
前記実クリーニング回数を、前記インクカートリッジの前記履歴に対応付けて使用履歴格納部に格納し、
前記記録ヘッドに不具合が生じた場合に、前記使用履歴格納部に格納された前記吐出量および前記実クリーニング回数を読み出し、前記標準クリーニング格納部に格納されている前記標準クリーニング回数と比較することにより、前記記録ヘッドに不具合が生じた時に前記記録装置に装着されていたインクカートリッジの前記履歴に対応づけられた少なくとも前記吐出量を出力する請求項７に記載のインクカートリッジ特定方法。
【請求項９】
インクカートリッジの種別に関する情報を記録した記録部を有するインクカートリッジが装着された場合に、前記インクカートリッジの前記記録部から前記種別に関する情報を読み取る読取部と、
前記読取部により読み取られた前記種別に関する情報を前記記録装置において装着された前記インクカートリッジの履歴に対応付けて格納する使用履歴格納部と、
を備える記録装置。
【請求項１０】
前記記録装置に装着されるべきインクカートリッジの種別に関する情報を登録した種別登録部と、
前記使用履歴格納部に格納された前記種別に関する情報が、前記種別登録部に登録されている前記種別に関する情報に含まれない場合に、警告を発する警告部と
をさらに備える請求項９に記載の記録装置。
【請求項１１】
前記インクカートリッジの前記記録部は前記インクカートリッジを識別する識別情報をさらに記録しており、
前記読取部は、前記インクカートリッジの前記記録部から前記識別情報をさらに読み取り、
前記使用履歴格納部は、前記読取部により読み取られた前記識別情報を前記履歴に対応付けてさらに格納する請求項１０に記載の記録装置。
【請求項１２】
前記インクカートリッジの前記種別に関する情報、および、前記種別に関する情報に対応付けた前記記録ヘッドの不具合の回復方法を格納した回復方法格納部と、
前記記録ヘッドに不具合が生じた場合に、前記使用履歴格納部に格納された前記種別に関する情報を読み出し、読み出した前記種別に関する情報に対応づけて前記回復方法格納部に格納された前記回復方法を読み出して出力する回復方法出力部とをさらに備える
請求項９に記載の記録装置。
【請求項１３】
インクカートリッジが装着されることにより、前記インクカートリッジのインクを記録ヘッドから吐出して被記録物に記録を行う記録装置と、前記記録ヘッドの不具合の回復方法を使用者へ出力するサーバとを備えるシステムであって、
前記記録装置は、
前記インクカートリッジの種別に関する情報を記録した記録部を含む前記インクカートリッジが装着された場合に、前記インクカートリッジの前記記録部から前記種別に関する情報を読み取る読取部と、
前記読取部により読み取られた前記種別に関する情報を前記インクカートリッジの履歴に対応付けて格納する使用履歴格納部とを有し、
前記サーバは、
前記インクカートリッジの種別に関する情報、および、前記種別に関する情報に対応付けた前記記録ヘッドの不具合の回復方法を格納した回復方法格納部と、
前記記録ヘッドに不具合が生じた場合に、前記使用履歴格納部に格納された前記種別を読み出し、読み出した前記種別に関する情報に対応づけて前記回復方法格納部に格納された前記回復方法を読み出して出力する回復方法出力部と有するシステム。
【請求項１４】
インクカートリッジが装着されることにより、前記インクカートリッジのインクを記録ヘッドから吐出して被記録物に記録を行う記録装置と、前記記録ヘッドの不具合の回復方法を使用者へ出力するサーバとを備えるシステムであって、
前記記録装置は、
前記インクカートリッジの種別に関する情報を記録した記録部を含む前記インクカートリッジが装着された場合に、前記インクカートリッジの前記記録部から前記種別に関する情報を読み取る読取部と、
前記読取部により読み取られた前記種別に関する情報を前記インクカートリッジの履歴に対応付けて格納する使用履歴格納部と、
前記インクカートリッジの前記種別に関する情報、および前記種別に関する情報に対応付けた前記記録ヘッドの不具合の回復方法を格納した回復方法格納部とを有し、
前記サーバは、
前記記録ヘッドに不具合が生じた場合に、前記使用履歴格納部に格納された前記種別を読み出し、読み出した前記種別に関する情報に対応づけて前記回復方法格納部に格納された前記回復方法を読み出して出力する回復方法出力部と有するシステム。
【請求項１５】
インクカートリッジの種別に関する情報、および前記種別に関する情報に対応付けた記録ヘッドの不具合の回復方法を回復方法格納部に格納し、
前記種別に関する情報を記録した記録部を有する前記インクカートリッジが装着された場合に、前記インクカートリッジの前記記録部から前記種別に関する情報を読み取り、
読み取られた前記種別に関する情報を前記インクカートリッジの履歴に対応付けて使用履歴格納部に格納し、
前記記録ヘッドに不具合が生じた場合に、前記使用履歴格納部に格納された前記種別に関する情報を読み出し、読み出した前記種別に関する情報に対応付けて前記回復方法格納部に格納された前記回復方法を読み出して出力する
記録ヘッド回復方法。
【発明の詳細な説明】
【技術分野】
【０００１】
本発明は、記録装置、インクカートリッジ特定方法、システム、及び、記録ヘッド回復方法に関する。特に本発明は、インクカートリッジのインクを記録ヘッドから吐出して被記録物に記録を行う記録装置、当該記録装置に装着されたインクカートリッジのインクカートリッジ特定方法、システム、及び、記録装置の記録ヘッド回復方法に関する。
【背景技術】
【０００２】
従来、記録装置に装着されたインクカートリッジに、記録装置の記録ヘッドが吐出したインクの吐出量を記録する記録装置が知られている（例えば、特許文献１参照）。この記録装置においては、インクカートリッジに収用されたインクの残量や使用量が管理される。
【特許文献１】特開２００２−２３４１９２号公報
【発明の開示】
【発明が解決しようとする課題】
【０００３】
記録ヘッドに不具合が発生した場合、不具合が発生した時に装着されていたインクカートリッジを特定することが好ましい。例えば記録ヘッドにインク詰まりが生じた場合、記録ヘッドの回復方法は使用されていたインクの種類により異なるため、どの種類のインクが使用されていたかを知るために、不具合が発生した時に装着されていたインクカートリッジを特定することが好ましい。しかしながら、従来の記録装置においては、使用された複数のインクカートリッジから、不具合が生じた時に装着されていたインクカートリッジを特定することができなかった。
【課題を解決するための手段】
【０００４】
上記課題を解決するために、本発明の第１の形態においては、インクカートリッジが装着されることにより、インクカートリッジのインクを記録ヘッドから吐出して被記録物に記録を行う記録装置であって、装着されたインクカートリッジを用いて記録ヘッドで吐出したインクの吐出量を計測する吐出量計測部と、インクカートリッジのインクを吐出して記録ヘッドをクリーニングした実クリーニング回数を計測するクリーニング計測部と、吐出量計測部により計測された吐出量をクリーニング計測部により計測された実クリーニング回数に対応づけて格納する使用履歴格納部とを備える。これにより、記録装置において、吐出量と実クリーニング回数とをインクカートリッジ毎に後から確認することができる。
【０００５】
上記の記録装置は吐出量計測部により計測された吐出量をインクカートリッジの記録部に書き込む書込部をさらに備えてもよい。これにより、記録装置に格納された吐出量とカートリッジに格納された吐出量とを後から整合することができる。
【０００６】
上記の使用履歴格納部は、吐出量計測部により計測された吐出量を、記録装置において装着されたインクカートリッジの履歴に対応づけてさらに格納し、記録装置は、使用履歴格納部に格納された吐出量、及び、一のインクカートリッジの記録部に書き込まれた吐出量を読み出し、二つの吐出量が一致した場合に、一のインクカートリッジを、記録装置において、吐出量を使用したインクカートリッジである旨を出力する使用カートリッジ出力部をさらに備えてもよい。これにより、吐出量に基づいて、記録装置に持いられたインクカートリッジを特定することができる。
【０００７】
上記の記録装置は、記録ヘッドを用いて吐出する吐出量に対して、正常に動作する場合に想定される記録ヘッドをインクカートリッジを用いてクリーニングする回数を標準クリーニング回数として格納する標準クリーニング格納部と、記録ヘッドに不具合が生じた場合に、使用履歴格納部に格納された吐出量及び実クリーニング回数を読み出し、標準クリーニング格納部に格納されている標準クリーニング回数と比較することにより、記録ヘッドに不具合が生じた時に記録装置に装着されていたインクカートリッジの履歴に対応づけられた吐出量を特定するクリーニング回数比較部と、一のインクカートリッジの記録部に書き込まれた吐出量を読み出し、クリーニング回数比較部により特定された吐出量と、一のインクカートリッジの記録部から読み出された吐出量とが一致した場合に、一のインクカートリッジを、記録ヘッドに不具合が生じた時に記録装置に装着されていたインクカートリッジである旨を出力する使用カートリッジ出力部とをさらに備えてもよい。これにより、吐出量及び実クリーニング回数に基づいて、記録装置に不具合が生じた時に装着されていたインクカートリッジを特定することができる。
【０００８】
本発明の第２の形態においては、インクカートリッジが装着されることにより、インクカートリッジのインクを記録ヘッドから吐出して被記録物に記録を行う記録装置と、記録ヘッドの不具合が生じた場合に記録装置に装着されていたインクカートリッジを使用者へ出力するサーバとを備えるシステムであって、記録装置は、装着されたインクカートリッジを用いて記録ヘッドで吐出したインクの吐出量を計測する吐出量計測部と、インクカートリッジのインクを吐出して記録ヘッドをクリーニングした実クリーニング回数を計測するクリーニング計測部と、吐出量計測部により計測された吐出量をクリーニング計測部により計測された実クリーニング回数に対応づけて格納する使用履歴格納部と吐出量計測部により計測された吐出量をインクカートリッジの記録部に書き込む書込部とを有し、サーバは、記録ヘッドを用いて吐出する吐出量に対して、正常に動作する場合に想定される記録ヘッドをインクカートリッジを用いてクリーニングする回数を標準クリーニング回数として格納する標準クリーニング格納部と、記録ヘッドに不具合が生じた場合に、使用履歴格納部に格納された吐出量及び実クリーニング回数を読み出し、標準クリーニング格納部に格納されている標準クリーニング回数と比較することにより、記録ヘッドに不具合が生じた時に記録装置に装着されていたインクカートリッジの履歴に対応づけられた吐出量を特定するクリーニング回数比較部と、一のインクカートリッジの記録部に書き込まれた吐出量を読み出し、クリーニング回数比較部により特定された吐出量と、一のインクカートリッジの記録部から読み出された吐出量とが一致した場合に、一のインクカートリッジを、記録ヘッドに不具合が生じた時に記録装置に装着されていたインクカートリッジである旨を出力する使用カートリッジ出力部とを有する。これにより、記録装置において、吐出量と実クリーニング回数とをインクカートリッジ毎に後から確認することができる。また、記録装置に格納された吐出量とカートリッジに格納された吐出量とを後から整合することができる。さらに、吐出量及び実クリーニング回数に基づいて、記録装置に不具合が生じた時に装着されていたインクカートリッジを特定することができる。
【０００９】
本発明の第３の形態においては、インクカートリッジが装着されることにより、インクカートリッジのインクを記録ヘッドから吐出して被記録物に記録を行う記録装置と、記録ヘッドの不具合が生じた場合に記録装置に装着されていたインクカートリッジを使用者へ出力するサーバとを備えるシステムであって、記録装置は、装着されたインクカートリッジを用いて記録ヘッドで吐出したインクの吐出量を計測する吐出量計測部と、インクカートリッジのインクを吐出して記録ヘッドをクリーニングした実クリーニング回数を計測するクリーニング計測部と、吐出量計測部により計測された吐出量をクリーニング計測部により計測された実クリーニング回数に対応づけて格納する使用履歴格納部と吐出量計測部により計測された吐出量をインクカートリッジの記録部に書き込む書込部と、記録ヘッドを用いて吐出する吐出量に対して、正常に動作する場合に想定される記録ヘッドをインクカートリッジを用いてクリーニングする回数を標準クリーニング回数として格納する標準クリーニング格納部とを有し、サーバは、記録ヘッドに不具合が生じた場合に、使用履歴格納部に格納された吐出量及び実クリーニング回数を読み出し、標準クリーニング格納部に格納されている標準クリーニング回数と比較することにより、記録ヘッドに不具合が生じた時に記録装置に装着されていたインクカートリッジの履歴に対応づけられた吐出量を特定するクリーニング回数比較部と、一のインクカートリッジの記録部に書き込まれた吐出量を読み出し、クリーニング回数比較部により特定された吐出量と、一のインクカートリッジの記録部から読み出された吐出量とが一致した場合に、一のインクカートリッジを、記録ヘッドに不具合が生じた時に記録装置に装着されていたインクカートリッジである旨を出力する使用カートリッジ出力部とを有する。これにより、記録装置において、吐出量と実クリーニング回数とをインクカートリッジ毎に後から確認することができる。また、記録装置に格納された吐出量とカートリッジに格納された吐出量とを後から整合することができる。また、記録装置の種類や記録装置に使用されるインクカートリッジの種類に応じて標準クリーニング回数が異なる場合があるが、本発明においては、それぞれの記録装置が標準クリーニング回数を格納しているので、記録装置の標準クリーニング回数を容易に知ることができる。そしてさらに、吐出量及び実クリーニング回数に基づいて、記録装置に不具合が生じた時に装着されていたインクカートリッジを特定することができる。
【００１０】
本発明の第４の形態は、インクカートリッジ特定方法であって、記録装置に装着されたインクカートリッジを用いて記録ヘッドで吐出したインクの吐出量を計測し、計測した吐出量を、インクカートリッジの履歴に対応づけて使用履歴格納部に格納し、吐出量計測部により計測された吐出量をインクカートリッジの記録部に書き込み、使用履歴格納部に格納された吐出量、及び一のインクカートリッジの記録部に書き込まれた吐出量を読み出し、二つの吐出量が一致した場合に、一のインクカートリッジを、記録装置において吐出量を使用したインクカートリッジである旨を出力する。これにより、吐出量に基づいて、記録装置に持いられたインクカートリッジを特定することができる。
【００１１】
記録ヘッドを用いて吐出する吐出量に対して、記録ヘッドが正常に動作する場合に想定される、インクカートリッジを用いて記録ヘッドをクリーニングする回数を標準クリーニング回数として標準クリーニング格納部に格納し、記録装置に装着されたインクカートリッジを用いてクリーニングされた実クリーニング回数を計測し、実クリーニング回数を、インクカートリッジの履歴に対応付けて使用履歴格納部に格納し、記録ヘッドに不具合が生じた場合に、使用履歴格納部に格納された吐出量および実クリーニング回数を読み出し、標準クリーニング格納部に格納されている標準クリーニング回数と比較することにより、記録ヘッドに不具合が生じた時に記録装置に装着されていたインクカートリッジの履歴に対応づけられた少なくとも吐出量を出力してよい。これにより、吐出量及び実クリーニング回数に基づいて、記録装置に不具合が生じた時に装着されていたインクカートリッジを特定することができる。
【００１２】
本発明の第５の形態は、記録装置であって、インクカートリッジの種別に関する情報を記録した記録部を有するインクカートリッジが装着された場合に、インクカートリッジの記録部から種別に関する情報を読み取る読取部と、読取部により読み取られた種別に関する情報を記録装置において装着されたインクカートリッジの履歴に対応付けて格納する使用履歴格納部とを備える。これにより、記録装置に使用されたインクカートリッジの種別の履歴を後から知ることができる。そして、記録ヘッドに不具合が生じた場合等に、使用されていたインクカートリッジの種別に応じて適切な回復方法を施すことができる。
【００１３】
上記の記録装置は、記録装置に装着されるべきインクカートリッジの種別に関する情報を登録した種別登録部と、使用履歴格納部に格納された種別に関する情報が、種別登録部に登録されている種別に関する情報に含まれない場合に、警告を発する警告部とをさらに備えてもよい。これにより、記録装置に適した種別のインクカートリッジを使用することを使用者に促すことができる。
【００１４】
上記の記録装置は、インクカートリッジの記録部はインクカートリッジを識別する識別情報をさらに記録しており、読取部は、インクカートリッジの記録部から識別情報をさらに読み取り、使用履歴格納部は、読取部により読み取られた識別情報を履歴に対応付けてさらに格納してよい。これにより、記録装置に使用されたインクカートリッジを後から特定することができる。
【００１５】
上記の記録装置は、インクカートリッジの種別に関する情報、および、種別に関する情報に対応付けた記録ヘッドの不具合の回復方法を格納した回復方法格納部と、記録ヘッドに不具合が生じた場合に、使用履歴格納部に格納された種別に関する情報を読み出し、読み出した種別に関する情報に対応づけて回復方法格納部に格納された回復方法を読み出して出力する回復方法出力部とをさらに備えてもよい。これにより、不具合を生じた時に装着されていたインクカートリッジの種別に応じて、適切な回復方法を出力することができる。
【００１６】
本発明の第６の形態は、インクカートリッジが装着されることにより、インクカートリッジのインクを記録ヘッドから吐出して被記録物に記録を行う記録装置と、記録ヘッドの不具合の回復方法を使用者へ出力するサーバとを備えるシステムであって、記録装置は、インクカートリッジの種別に関する情報を記録した記録部を含むインクカートリッジが装着された場合に、インクカートリッジの記録部から種別に関する情報を読み取る読取部と、読取部により読み取られた種別に関する情報をインクカートリッジの履歴に対応付けて格納する使用履歴格納部とを有し、サーバは、インクカートリッジの種別に関する情報、および、種別に関する情報に対応付けた記録ヘッドの不具合の回復方法を格納した回復方法格納部と、記録ヘッドに不具合が生じた場合に、使用履歴格納部に格納された種別を読み出し、読み出した種別に関する情報に対応づけて回復方法格納部に格納された回復方法を読み出して出力する回復方法出力部と有する。これにより、記録装置に使用されたインクカートリッジの種別の履歴を後から知ることができるとともに、記録装置に適した種別のインクカートリッジを使用することを使用者に促すことができる。またサーバは、不具合を生じた時に装着されていたインクカートリッジの種別に応じて、適切な回復方法を出力することができる。
【００１７】
本発明の第７の形態は、インクカートリッジが装着されることにより、インクカートリッジのインクを記録ヘッドから吐出して被記録物に記録を行う記録装置と、記録ヘッドの不具合の回復方法を使用者へ出力するサーバとを備えるシステムであって、記録装置は、インクカートリッジの種別に関する情報を記録した記録部を含むインクカートリッジが装着された場合に、インクカートリッジの記録部から種別に関する情報を読み取る読取部と、読取部により読み取られた種別に関する情報をインクカートリッジの履歴に対応付けて格納する使用履歴格納部と、インクカートリッジの種別に関する情報、および、種別に関する情報に対応付けた記録ヘッドの不具合の回復方法を格納した回復方法格納部とを有し、サーバは、記録ヘッドに不具合が生じた場合に、使用履歴格納部に格納された種別を読み出し、読み出した種別に関する情報に対応づけて回復方法格納部に格納された回復方法を読み出して出力する回復方法出力部と有する。これにより、記録装置に使用されたインクカートリッジの種別の履歴を後から知ることができるとともに、記録装置に適した種別のインクカートリッジを使用することを使用者に促すことができる。また、例えば新製品として販売された記録装置には、それまでには用いられなかったインクが使用される場合があり、このようなインクが使用された記録ヘッドに回復措置を施す場合には、このインクの種別に対応する回復方法を知る必要があるが、本発明では、記録装置がインクカートリッジの種別に関する情報を格納しているので、サーバは、不具合を生じた時に装着されていたインクカートリッジの種別に応じて、適切な回復方法を出力することができる。
【００１８】
本発明の第８の形態は、記録ヘッド回復方法であって、インクカートリッジの種別に関する情報、および、種別に関する情報に対応付けた記録ヘッドの不具合の回復方法を回復方法格納部に格納し、種別に関する情報を記録した記録部を有するインクカートリッジが装着された場合に、インクカートリッジの記録部から種別に関する情報を読み取り、読み取られた種別に関する情報をインクカートリッジの履歴に対応付けて使用履歴格納部に格納し、記録ヘッドに不具合が生じた場合に、使用履歴格納部に格納された種別に関する情報を読み出し、読み出した種別に関する情報に対応付けて回復方法格納部に格納された回復方法を読み出して出力する。これにより、不具合を生じた時に装着されていたインクカートリッジの種別に応じて、適切な回復方法を出力することができる。
【００１９】
なお、上記の発明の概要は、本発明の必要な特徴の全てを列挙したものではなく、これらの特徴群のサブコンビネーションもまた、発明となりうる。
【発明を実施するための最良の形態】
【００２０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２１】
図１は、本発明の実施形態に係るシステム３００の機能構成の一例を示す。システム３００は、記録装置１００及びサーバ２００を備える。記録装置１００は、内部にインクを収容するインクカートリッジ１０が装着されるキャリッジ２２と、このキャリッジ２２の下方に配された記録ヘッド２０とを有する。キャリッジ２２にインクカートリッジ１０が装着された場合に、インクカートリッジ１０の内部に収容されたインクが記録ヘッド２０へ供給され、記録ヘッド２０はインクを吐出して被記録物１４に記録する。
【００２２】
サーバ２００は、例えば修理工場に設置されており、記録装置１００の記録ヘッド２０に不具合が発生した場合に、当該記録装置１００および、それまでに記録装置１００で使用されたインクカートリッジ１０と接続する。本実施形態におけるシステム３００は、記録装置１００の記録ヘッド２０に不具合が発生した時に使用されていたインクカートリッジ１０を特定することを目的とする。
【００２３】
記録装置１００は、吐出量計測部３０、クリーニング計測部４０、使用履歴格納部５０、及び書込部６０を備える。記録装置１００は、パーソナルコンピュータ（ＰＣ）と接続される。これにより、記録ヘッド２０、吐出量計測部３０、及びクリーニング計測部４０はＰＣと電気的に接続され、記録ヘッド２０及び吐出量計測部３０は、接続されたＰＣからインクの吐出量を制御する信号を受け取る。ＰＣからの上記信号に基づき、記録ヘッド２０はインクを吐出し、吐出量計測部３０は記録ヘッド２０で吐出したインクカートリッジ１０のインクの吐出量を計測する。記録ヘッド２０は、計測した吐出量を使用履歴格納部５０及び書込部６０へ出力する。なお、本例における吐出量計測部３０は、インクの吐出量を、記録ヘッド２０が吐出したドット数として計測する。さらに吐出量計測部３０は、被記録物１４へ記録を行っている最中に、インクの残量が少なくなったことを示すドット数に達すると、使用中のインクカートリッジ１０を交換すべき旨をユーザへ出力する。
【００２４】
記録ヘッド２０のクリーニングを行う場合、記録ヘッド２０及びクリーニング計測部４０は、ＰＣからクリーニングの実行の指示を示す信号を受け取る。これにより記録ヘッド２０はインクカートリッジ１０を用いてインクを吐出して記録ヘッド２０のクリーニングを行い、クリーニング計測部４０は、インクを吐出して記録ヘッド２０のクリーニングを行った回数である実クリーニング回数を計測する。クリーニング計測部４０は、計測した実クリーニング回数を使用履歴格納部５０へ与える。なお、記録装置１００はクリーニングボタンを有してもよく、記録装置１００が有するクリーニングボタンがユーザにより押下されることで、記録ヘッド２０及びクリーニング計測部４０は、クリーニングの実行の指示を示す信号を受け取ってもよい。
【００２５】
使用履歴格納部５０は、吐出量計測部３０により出力された吐出量をクリーニング計測部４０により出力された実クリーニング回数に対応づけて格納する。本例における使用履歴格納部５０は、インクカートリッジ１０が装着されている場合に、記録ヘッド２０からインクを吐出したときは、既に格納されているインクカートリッジ１０の吐出量に、吐出量計測部３０によって新たに通知された吐出量を加算し、既に格納されている実クリーニング回数にクリーニング計測部４０により新たに通知された実クリーニング回数を加算する。これにより使用履歴格納部５０は、装着されたインクカートリッジ１０によって吐出されたインクの吐出量の合計、及び実行された実クリーニング回数の合計を格納する。この場合に、使用履歴格納部５０は、吐出量及びクリーニング回数を、記録装置１００に装着されたインクカートリッジ１０の履歴に対応づけて格納する。本例における使用履歴格納部５０は、記録装置１００にインクカートリッジ１０が装着された順番を示す番号を、履歴として格納する。これにより、記録装置１００において、吐出量と実クリーニング回数とをインクカートリッジ１０毎に後から確認することができる。
【００２６】
インクカートリッジ１０はインク収容部の外側に取り付けられたＩＣチップ１２を有する。ＩＣチップ１２は、不揮発性のメモリである記録部１５を含む。インクカートリッジ１０がキャリッジ２２に装着されると、キャリッジ２２においてＩＣチップ１２が対向する位置に露出した電気的な接触部２４がＩＣチップ１２と接触し、記録装置１００とＩＣチップ１２とは電気的に接続される。これにより、記録部１５は、書込部６０と電気的に接続される。
【００２７】
書込部６０は、吐出量計測部３０より吐出量を受け取ると、受け取った吐出量をインクカートリッジ１０の記録部１５に書き込む。本例における書込部６０は、既にインクカートリッジ１０の記録部１５に記録されている吐出量に、吐出量計測部３０により新たに通知された吐出量を加算することにより、装着されたインクカートリッジ１０により吐出されたインクの吐出量の合計を、インクカートリッジ１０の記録部１５に書き込む。これにより、それぞれのインクカートリッジ１０について、インクカートリッジ１０の記録部１５及び記録装置１００の使用履歴格納部５０には、同じ値の吐出量が記録される。これにより、記録装置１００に格納された吐出量とインクカートリッジ１０に格納された吐出量とを後から整合することができる。
【００２８】
サーバ２００は、標準クリーニング格納部２１０、クリーニング回数比較部２２０、及び使用カートリッジ出力部２４０を有する。そして、記録装置１００の記録ヘッド２０に不具合が生じた場合、サーバ２００が記録装置１００へ電気的に接続される。さらに、サーバ２００は、記録装置１００のキャリッジ２２と略同一形状の装着部２３０を有する。装着部２３０は電気的な接触部２６を有する。この装着部２３０に、不具合が生じた記録装置１００において使用されたインクカートリッジ１０が装着され、インクカートリッジ１０のＩＣチップ１２と装着部２３０の接触部２６とが接触して、ＩＣチップ１２とサーバ２００とが電気的に接続される。
【００２９】
標準クリーニング格納部２１０は、記録装置１００の記録ヘッド２０を用いて記録する吐出量に対して、記録ヘッド２０が正常に動作する場合に想定される、インクカートリッジ１０を用いて記録ヘッド２０をクリーニングする回数を標準クリーニング回数として格納する。すなわち、標準クリーニング格納部２１０は、インクカートリッジ１０のインクを使い終わるまでに記録装置１００の記録ヘッド２０を標準的にクリーニングする回数として、標準クリーニング回数を格納する。標準クリーニング回数は経験的に決定されてよく、例えば修理工によって標準クリーニング格納部２１０へ格納される。図１に示す標準クリーニング格納部２１０は、標準クリーニング回数として３回を格納している。
【００３０】
クリーニング回数比較部２２０は、記録装置１００の記録ヘッド２０に不具合が生じた場合に、記録装置１００の使用履歴格納部５０に格納された吐出量及び実クリーニング回数を読み出す。またクリーニング回数比較部２２０は、標準クリーニング格納部２１０に格納されている標準クリーニング回数を読み出し、読み出した標準クリーニング回数と実クリーニング回数とを比較することにより、記録ヘッド２０に不具合が生じた時に記録装置１００に装着されていたインクカートリッジ１０の履歴に対応づけられた吐出量を特定する。本例におけるクリーニング回数比較部２２０は、記録装置１００の使用履歴格納部５０から読み出した実クリーニング回数が、標準クリーニング格納部２１０に格納された標準クリーニング回数を超えている場合に、記録装置１００の使用履歴格納部５０から読み出した実クリーニング回数に対応するインクカートリッジ１０の吐出量を特定する。そして、クリーニング回数比較部２２０は、特定した吐出量を使用カートリッジ出力部２４０へ与える。ユーザは、記録装置１００の記録ヘッド２０に不具合が生じると、記録ヘッド２０から強制的にインクを吐出するクリーニングを多数回、実行して、不具合を解消しようとする。よって、インクカートリッジ１０を用いたクリーニング回数が、標準に比べて多い場合には、このインクカートリッジ１０を用いている間に記録装置１００の記録ヘッド２０に不具合が生じたと推定することができる。
【００３１】
使用カートリッジ出力部２４０は、装着部２３０が有する接触部２６と電気的に接続されており、装着部２３０に装着された一のインクカートリッジ１０の記録部１５に書き込まれた吐出量を読み出す。使用カートリッジ出力部２４０は、インクカートリッジ１０の記録部１５から読み出した吐出量が、クリーニング回数比較部２２０により特定された吐出量に一致した場合に、このインクカートリッジ１０を、記録装置１００において当該吐出量を使用したインクカートリッジ１０である旨を出力する。
【００３２】
このように、本発明におけるシステム３００は、吐出量に基づいて、システム３００に持いられたインクカートリッジ１０を特定することができる。またシステム３００は、吐出量及び実クリーニング回数に基づいて、記録装置１００に不具合が生じた時に装着されていたインクカートリッジ１０を特定することができる。なお、本例における使用カートリッジ出力部２４０は、クリーニング回数比較部２２０が使用履歴格納部５０から読み出した吐出量を受け取ったが、他の例において、使用カートリッジ出力部２４０は、使用履歴格納部５０から、吐出量を直接読み出しても良い。
【００３３】
図２は、記録装置１００の使用履歴格納部５０が格納するデータの一例を示す。使用履歴格納部５０は、吐出量及び実クリーニング回数を、記録装置１００に装着されたインクカートリッジ１０の履歴に対応づけて格納する。ここで、使用履歴格納部５０に記録された吐出量のそれぞれは、交換されるタイミングがインクカートリッジ毎に異なる等の理由により、各々のインクカートリッジ１０によりばらついた値となる。例えば、インクの残量が少なくなって交換すべき旨の警告が出力された後にも、記録中の被記録物１４への記録が終了するまでインクの吐出は行われるので、インクカートリッジ１０がユーザによって交換された時点までの吐出量は、各々のインクカートリッジ１０によりばらついた値となる。よって、各インクカートリッジ１０の記録部１５に格納されたそれぞれの吐出量と、使用履歴格納部５０に格納された吐出量とが一致した場合に、その値の吐出量を吐出したインクカートリッジ１０がいずれであるかを特定することができる。
【００３４】
図３は、システム３００の動作の一例を示すフローチャートである。記録装置１００の記録ヘッド２０に不具合が発生した場合、記録装置１００は、例えば修理工場へ運ばれ、サーバ２００と接続される。この場合、不具合が発生するまでに記録装置１００で使用された複数のインクカートリッジ１０も修理工場へ運ばれる。そして、サーバ２００のクリーニング回数比較部２２０は、記録装置１００の使用履歴格納部５０から吐出量と実クリーニング回数を読み出し（Ｓ１００）、標準クリーニング格納部２１０から標準クリーニング回数を読み出す。ここで、サーバ２００のクリーニング回数比較部２２０は、記録装置１００の使用履歴格納部５０に格納されていた実クリーニング回数と、標準クリーニング回数とを比較する。標準クリーニング回数を超えている実クリーニング回数がある場合（Ｓ１０２：ＹＥＳ）、サーバ２００のクリーニング回数比較部２２０は、記録装置１００の使用履歴格納部５０においてこの実クリーニング回数に対応づけられた吐出量を特定し（Ｓ１０４）、特定した吐出量を使用カートリッジ出力部２４０へ出力する。なお、複数の実クリーニング回数が標準クリーニング回数を超えている場合に、クリーニング回数比較部２２０は、当該複数の実クリーニング回数のそれぞれに対応付けられた吐出量を特定し、これら複数の吐出量を使用カートリッジ出力部２４０へ出力する。
【００３５】
サーバ２００の使用カートリッジ出力部２４０は、装着部２３０にインクカートリッジ１０のうちの一つが装着されると、そのインクカートリッジ１０の記録部１５に記録されている吐出量を読み出す（Ｓ１０６）。そして、インクカートリッジ１０の記録部１５から読み出した吐出量と、クリーニング回数比較部２２０によって出力された吐出量とが一致した場合（Ｓ１０８：ＹＥＳ）、使用カートリッジ出力部２４０は、装着部２３０に現在装着されているインクカートリッジ１０が、この吐出量を吐出したインクカートリッジである旨を出力する（Ｓ１１０）。
【００３６】
記録装置１００の使用履歴格納部５０に格納されているいずれの実クリーニング回数も標準クリーニング回数を超えていない場合（Ｓ１０２：ＮＯ）、本フローチャートは終了する。また、記録部１５から読み出した吐出量と、クリーニング回数比較部２２０によって出力された吐出量とが一致しない場合（Ｓ１０８：ＮＯ）、本フローチャートはＳ１１２へ進む。ここで、他のインクカートリッジ１０が装着部２３０に装着された場合（Ｓ１１２：ＹＥＳ）、本フローチャートはＳ１０６へ進む。他のインクカートリッジ１０が装着されない場合には（Ｓ１１２：ＮＯ）、本フローチャートは終了する。
【００３７】
なお、記録装置１００の製造メーカや販売店が品質を保証しないインクが、一定量以上続けて吐出されると記録ヘッド２０にインク詰まりが発生する場合がある。このような場合、記録装置１００のユーザは、インク詰まりの原因となったインクカートリッジを、まだインクが残っているにも関わらず記録装置１００から取り外す場合が多い。
【００３８】
そこで、本実施形態の他の例におけるクリーニング回数比較部２２０は、ステップＳ１０２において、使用履歴格納部５０に格納された吐出量が所定値以下であり、かつ実クリーニング回数が所定のクリーニング回数を超えたかどうかの判断を行ってもよい。例えば、標準クリーニング格納部２１０は、インクカートリッジ１０のインクを全て使用するのに必要な吐出量の約半分の値を、吐出量の所定値として格納し、標準クリーニング回数よりも少ない回数を所定のクリーニング回数として格納する。これにより、記録装置１００は、インク詰まりの原因となったインクカートリッジを特定する精度を上げることができる。
【００３９】
また、本実施形態におけるさらに他の例において、クリーニング回数比較部２２０は、ステップＳ１０２において、吐出量に対する実クリーニング回数の比を算出し、予め定めら得た所定値を超えたかどうかを判断してもよい。これにより、記録装置１００は、インク詰まりの原因となったインクカートリッジを特定する精度を上げることができる。この場合、上記所定値は、クリーニング回数比較部２２０に予め格納されていてもよい。
【００４０】
なお、本例においてサーバ２００が標準クリーニング格納部２１０を有したが、他の例において、記録装置１００が標準クリーニング格納部２１０を有してもよい。この場合、標準クリーニング回数は、例えば出荷時に標準クリーニング格納部２１０へ格納される。ここで、記録装置１００の種類や記録装置１００に使用されるインクカートリッジ１０の種類に応じて標準クリーニング回数が異なる場合があるが、本例においては、それぞれの記録装置１００が標準クリーニング回数を格納しているので、修理を行いたい記録装置１００が有する記録ヘッド２０の標準クリーニング回数を容易に知ることができる。
【００４１】
また、さらに他の例において、記録装置１００が、標準クリーニング格納部２１０、クリーニング回数比較部２２０、及び使用カートリッジ出力部２４０を有してもよい。この場合、記録装置１００に装着されたインクカートリッジ１０の記録部１５から、使用カートリッジ出力部２４０は、書き込まれた吐出量を読み出す。また使用カートリッジ出力部２４０は、記録装置１００が有する表示パネルに、特定したインクカートリッジの履歴を出力する。これにより、記録装置１００に不具合が生じた時に装着されていたインクカートリッジ１０をユーザや販売店の店員へ適切に通知することができる。また、本例においては修理工場にサーバ２００を設置するコストを省くことができる。
【００４２】
図４は本発明の他の実施形態に係るシステム３５０の構成の一例を示す。システム３５０は、記録装置１５０及びサーバ２５０を備える。ここで、図１と同じ符号を付したインクカートリッジ１０及び記録装置１５０の構成は、図１における構成と同一又は同様の機能を有するので、説明を省略する。
【００４３】
サーバ２５０は、例えば修理工場に設置されており、例えばインク詰まり等の不具合が記録装置１５０の記録ヘッド２０に生じた場合に、記録装置１５０と接続される。本実地形態におけるシステム３５０は、記録ヘッド２０に不具合が発生した場合に、記録ヘッド２０の回復方法をユーザへ提供することを目的とする。
【００４４】
本実施形態におけるインクカートリッジ１０が有する記録部１５は、図１から図３を用いて説明した実施形態におけるインクカートリッジ１０が有する記録部１５が記録していた吐出量に代えて、または、それに加えて、インクカートリッジ１０の種別に関する情報、及びインクカートリッジ１０を識別する識別情報を記録する。本例における記録部１５は、工場の出荷時に、種別に関する情報としてインクカートリッジ１０に収容されているインクの種別を格納し、識別情報としてインクカートリッジ１０が有するＩＣチップ１２の製造番号を格納する。
【００４５】
記録装置１５０は、読取部２５、種別登録部３５、使用履歴格納部５０及び警告部５５を有する。読取部２５は、キャリッジ２２と電気的に接続されており、インクカートリッジ１０が装着された場合に、記録部１５から種別に関する情報、及び識別情報を読み取り、読み取った種別に関する情報、及び識別情報を使用履歴格納部５０へ出力する。
【００４６】
使用履歴格納部５０は、読取部２５により読み取られた種別に関する情報、及び識別情報を、履歴に対応付けて格納する。ここで、使用履歴格納部５０は、記録装置１５０にインクカートリッジ１０が装着された順番を示す番号を、履歴として格納する。これにより、記録装置に使用されたインクカートリッジの種別の履歴を後から知ることができる。また記録ヘッドに不具合が生じた場合等に、使用されていたインクカートリッジの種別に応じて適切な回復方法を施すことができる。
【００４７】
種別登録部３５は、記録装置１５０に装着されるべきインクカートリッジ１０の種別に関する情報を登録する。本例における種別登録部３５は、記録装置１５０の出荷時に、記録装置１５０で使用することが推奨されたインクの種別を登録する。
【００４８】
警告部５５は、使用履歴格納部５０に格納された種別に関する情報が、種別登録部３５に登録されている種別に関する情報に含まれない場合に警告を発する。これにより、記録装置に適した種別のインクカートリッジを使用することを使用者に促進することができる。
【００４９】
サーバ２５０は、回復方法格納部２６０及び回復方法出力部２７０を有する。回復方法格納部２６０は、インクカートリッジ１０の種別に関する情報、および、種別に関する情報に対応付けた記録ヘッド２０の不具合の回復方法を、例えば修理工により入力されることにより、格納する。
【００５０】
記録装置１５０の記録ヘッド２０に不具合が生じた場合、記録装置１５０にサーバ２５０が接続される。これにより、サーバ２５０の回復方法出力部２７０は、記録装置１５０の使用履歴格納部５０と電気的に接続され、記録装置１５０の記録ヘッド２０に不具合が生じた場合に、記録装置１５０の使用履歴格納部５０に格納された種別に関する情報を読み出し、読み出した種別に関する情報に対応づけて回復方法格納部２６０に格納された回復方法を読み出して出力する。これにより、不具合を生じた時に記録装置１５０に装着されていたインクカートリッジ１０の種別に応じて、適切な回復方法を出力することができる。
【００５１】
図５は、記録装置１５０の使用履歴格納部５０が格納するデータの一例を示す。使用履歴格納部５０は、インクカートリッジ１０の履歴に対応づけて、読取部２５により出力されたインクカートリッジ１０の識別情報、及び種別に関する情報を格納する。本例における使用履歴格納部５０は、インクカートリッジ１０が装着された順番に対応づけて、ＩＣチップ１２の製造番号及びインクの種別を格納する。
【００５２】
図６は、サーバ２５０の回復方法格納部２６０が格納するデータの一例を示す。回復方法格納部２６０は、インクの種別に対応づけて、そのインクが用いられた場合の記録ヘッド２０の回復方法を格納する。本例における回復方法格納部２６０は、インクを洗浄するために用いられる洗浄液の種類を、回復方法として格納する。
【００５３】
図７は、本実施形態における記録装置１５０が通常時に使用された場合の動作の一例を示すフローチャートである。ユーザによりインクカートリッジ１０が記録装置１５０に装着される（Ｓ２００）と、記録装置１５０の読取部２５は、装着されたインクカートリッジ１０の記録部１５から、種別に関する情報及び識別情報を読み出し（Ｓ２０２）、読み出したこれらの情報を使用履歴格納部５０へ与える。記録装置１５０の使用履歴格納部５０は、インクカートリッジ１０の履歴に対応づけて、インクカートリッジ１０の種別に関する情報及び識別情報を格納する（Ｓ２０４）。
【００５４】
記録装置１５０の警告部５５は、種別登録部３５を参照し、使用履歴格納部５０に格納された種別に関する情報が種別登録部３５に登録されているかを確認する。そして、使用履歴格納部５０に格納された種別に関する情報が種別登録部３５に登録されていない場合（Ｓ２０６：ＮＯ）、警告部５５は、ユーザへ警告を発する（Ｓ２０８）。この場合、警告部５５は、例えば記録装置１５０が有する表示パネルに、登録されていないインクが使用されていることを示す旨の表示を行うことによりユーザへ警告を発する。警告部５５は、警告音を出力ことにより、ユーザへ警告を発してもよい。使用履歴格納部５０に格納された種別に関する情報が種別登録部３５に登録されている場合（Ｓ２０６：ＹＥＳ）、本フローチャートは終了する。
【００５５】
図８は、システム３５０の動作の一例を示すフローチャートである。不具合が発生した場合、記録装置１５０は、修理工場へ運ばれ、サーバ２５０と接続される。サーバ２５０の回復方法出力部２７０は、記録装置１５０の使用履歴格納部５０から種別に関する情報を読み出す（Ｓ３００）。
【００５６】
ここで本例におけるサーバ２５０の回復方法格納部２６０は、インクの種別に対応づけて、そのインクが用いられた場合の記録装置１５０の記録ヘッド２０の回復方法を格納しており、サーバ２５０の回復方法出力部２７０は、回復方法格納部２６０から、インクの種別に対応づけて格納された回復方法を読み出す（Ｓ３０２）。そして、サーバ２５０の回復方法出力部２７０は、読み出した回復方法を、例えば修理工へ出力する。この場合、サーバ２５０の回復方法出力部２７０は、例えばサーバ２５０が有する表示パネルに、読み出した回復方法を表示する。
【００５７】
ここで、本例におけるサーバ２５０の回復方法出力部２７０は、記録装置１５０の使用履歴格納部５０に格納されたインクカートリッジ１０の履歴の中で、最後の履歴のインクカートリッジ１０におけるインクの種別に対応する回復方法を出力する。これにより修理工は、最後に記録ヘッド２０が吐出したインクの種別を知ることができるので、通知されたインク種別に応じて、記録ヘッド２０に回復措置を適切に施すことができる。
【００５８】
また他の例において、サーバ２５０の回復方法出力部２７０は、記録装置１５０の使用履歴格納部５０に格納されたインクカートリッジ１０の履歴の中で、一番多く使用されたインクの種別に対応する回復方法を出力してもよい。これにより修理工は、記録ヘッド２０がこれまでに最も多く吐出したインクの種別を知ることができるので、通知されたインクの種別に応じて、記録ヘッド２０に回復措置を適切に施すことができる。
【００５９】
なお、本例におけるサーバ２５０は回復方法格納部２６０及び回復方法出力部２７０を有したが、他の例において、記録装置１５０が、回復方法格納部２６０を有してもよい。
例えば新製品として販売された記録装置１５０には、それまでには用いられなかったインクが使用される場合があり、このようなインクが使用された記録ヘッド２０に回復措置を施す場合には、このインクの種別に対応する回復方法を知る必要があるが、本例では、記録装置１５０がインクカートリッジの種別に関する情報を格納しているので、サーバ２００は、不具合を生じた時に装着されていたインクカートリッジ１０の種別に応じて、適切な回復方法を出力することができる。
【００６０】
またさらに他の例において、記録装置１５０が、回復方法格納部２６０及び回復方法出力部２７０を有してもよい。この場合、記録ヘッド２０の回復方法は、例えば記録装置１５０の取扱説明書に記されており、記録装置１５０の回復方法格納部２６０は、回復方法が記された取扱説明書の頁数を、回復方法として格納してよい。これにより、記録装置１５０の回復方法出力部２７０は、記録装置１５０が有する表示パネルに、回復方法が記された取扱説明書の頁数を表示する。これにより、記録ヘッド２０に不具合が生じた場合に記録装置１５０は、ユーザや販売店の店員等へ、記録ヘッド２０の回復方法を通知することができる。また、本例においては修理工場にサーバを準備するコストを省くことができる。
【００６１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６２】
【図１】本発明の実施形態に係るシステム３００の機能構成の一例を示す図である。
【図２】使用履歴格納部５０が格納するデータの一例を示す図である。
【図３】不具合が発生した時の記録装置１００の動作の一例を示すフローチャートである。
【図４】本発明の他の実施形態に係るシステム３５０の構成の一例を示す図である。
【図５】使用履歴格納部５０が格納するデータの一例を示す図である。
【図６】回復方法格納部２６０が格納するデータの一例を示す図である。
【図７】本実施形態における記録装置１５０が通常時に使用された場合の動作の一例を示すフローチャートである。
【図８】不具合が発生した時のシステム３５０の動作の一例を示すフローチャートである。
【符号の説明】
【００６３】
１０  インクカートリッジ、１２  ＩＣチップ、１４  被記録物、１５  記録部、２０  記録ヘッド、２２  キャリッジ、２４  接触部、２６  接触部、２５  読取部、３０  吐出量計測部、３５  種別登録部、４０  クリーニング計測部、５０  使用履歴格納部、５５  警告部、６０  書込部、１００  記録装置、１５０  記録装置、２００  サーバ、２５０  サーバ、３００  システム、３５０  システム、２１０  標準クリーニング格納部、２２０  クリーニング回数比較部、２３０  装着部、２４０  使用カートリッジ出力部、２６０  回復方法格納部、２７０  回復方法出力部
【図１】
2005262510.tif 000003
【図２】
2005262510.tif 000004
【図３】
2005262510.tif 000005
【図４】
2005262510.tif 000006
【図５】
2005262510.tif 000007
【図６】
2005262510.tif 000008
【図７】
2005262510.tif 000009
【図８】
2005262510.tif 000010